(57)【要約】【課題】  部品類が落下することはなく、安全かつ安心して着脱作業が行えるパイプ取付金具を提供すること。【解決手段】  メインブラケットとサブブラケットとでパイプを挟持するように個別のボルトおよびナットでねじ止めするように構成されるパイプ取付金具において、  これらメインブラケット、サブブラケット、ボルト、ナットなどを全て組み込んだ一体構造にしたことを特徴とするもの。【選択図】                    図１
2005133853.tif 000002
【特許請求の範囲】
【請求項１】
メインブラケットとサブブラケットとでパイプを挟持するように個別のボルトおよびナットでねじ止めするように構成されるパイプ取付金具において、
これらメインブラケット、サブブラケット、ボルト、ナットなどを全て組み込んだ一体構造にしたことを特徴とするパイプ取付金具。
【請求項２】
前記サブブラケットの一端近傍には、内径がナットの外径よりも十分大きい大径部と内径がナットの外径よりも小さくてボルトの外径よりも大きい小径部とが連結されただるま状のボルト挿入穴を設けことを特徴とする請求項１記載のパイプ取付金具。
【請求項３】
前記だるま状のボルト挿入穴の大径部と小径部との連結部の両側近傍には突起部を設けことを特徴とする請求項１または請求項２記載のパイプ取付金具。
【請求項４】
前記ボルトの先端部分のねじ山は、メインブラケットとサブブラケットとをパイプを挟むようにして対向させた状態でボルトをメインブラケット側から挿入してナットなどを組み込んだ後に変形させて、組み込んだナットなどがボルトから抜け出して落下しないようにしたことを特徴とする請求項１から請求項３のいずれかに記載のパイプ取付金具。
【発明の詳細な説明】
【技術分野】
【０００１】
本発明はパイプ取付金具に関し、詳しくは、電子機器の筐体やアンテナなどをパイプに取付けるための金具に関するものである。
【背景技術】
【０００２】
従来から、屋外用アンテナ関連機器をアンテナマストに固定するのにあたっては、一般に、特許文献１に示すようにＵボルト内にパイプを挿入し、ブラケットでパイプを挟持するようにねじ締めすることが行われている。
【０００３】
【特許文献１】特公昭６２−２５８８３
【０００４】
しかし、特許文献１に示すようなＵボルトを用いて、既設のパイプに電子機器の筐体やアンテナなどを取付ける場合には、パイプを挟持するブラケットをＵボルトから外してＵボルト内にパイプを挿入した後再びブラケットをねじ締めしなければならず、作業工数がかかってしまう。
【発明の開示】
【発明が解決しようとする課題】
【０００５】
他のパイプ取付金具として、図３，図４に示すように、左右個別のボルトでねじ止めするものも用いられている。図３は組立手順を示す構成図、図４は組立状態を示す構成図であり、（Ａ）は平面図、（Ｂ）は正面図、（Ｃ）は側面図である。メインブラケット1とサブブラケット2は、パイプ3を挟持するようにボルト4，5およびナット6，7などでねじ止めされる。なお、ナット6，7の部分は、それぞれワッシャ−スプリングワッシャ−ナット−ナットを順次積層するようにしてボルト4，5にねじ止めされるが、これらを総称してナットと表現している。
【０００６】
メインブラケット1のパイプ3との対向面には、辺面にパイプ2に噛み合うように鋸歯状の切り込み加工が施された切り欠き部8が形成されている。メインブラケット1の他の面には図示しない電子機器の筐体などが取付けられる。
【０００７】
サブブラケット2のパイプ3との対向面にも、辺面にパイプ2に噛み合うように鋸歯状の切り込み加工が施された切り欠き部9が形成されている。
【０００８】
しかし、このような従来の機構によれば、各ブラケット1，2、ボルト4，5、ナット6，7、ワッシャなどが各々個別のパーツになっているため、組付性が悪い。
【０００９】
また、これらをパイプ取付金具としてパイプ3に取り付ける際に、ボルト4，5からナット6，7を脱着しなければならないため、手間がかかる。
【００１０】
また、建物やタワーなどの高所のパイプ3に電子機器の筐体などを取り付ける場合、はしご等に登って作業することになるが、ブラケットブラケット1，2を取り付けたり取り外すときにワッシャやナットが手からこぼれて紛失してしまうおそれがある。
【００１１】
また、作業者は作業にあたってこれらの部品が落下して人身事故や器物破損を引きおこさないように神経を使わなければならず、作業性が落ちることは避けられない。
【００１２】
本発明は、これら従来の問題点を解決するものであり、その目的は、部品類が落下することはなく、安全かつ安心して着脱作業が行えるパイプ取付金具を提供することにある。
【課題を解決するための手段】
【００１３】
このような課題を達成するために、本発明のうち請求項１記載の発明は、
メインブラケットとサブブラケットとでパイプを挟持するように個別のボルトおよびナットでねじ止めするように構成されるパイプ取付金具において、
これらメインブラケット、サブブラケット、ボルト、ナットなどを全て組み込んだ一体構造にしたことを特徴とする。
【００１４】
請求項２記載の発明は、請求項１記載のパイプ取付金具において、
前記サブブラケットの一端近傍には、内径がナットの外径よりも十分大きい大径部と内径がナットの外径よりも小さくてボルトの外径よりも大きい小径部とが連結されただるま状のボルト挿入穴を設けことを特徴とする。
【００１５】
請求項３記載の発明は、請求項１または請求項２記載のパイプ取付金具において、
前記だるま状のボルト挿入穴の大径部と小径部との連結部の両側近傍には突起部を設けことを特徴とする。
【００１６】
請求項４記載の発明は、請求項１から請求項３のいずれかに記載のパイプ取付金具において、
前記ボルトの先端部分のねじ山は、メインブラケットとサブブラケットとをパイプを挟むようにして対向させた状態でボルトをメインブラケット側から挿入してナットなどを組み込んだ後に変形させて、組み込んだナットなどがボルトから抜け出して落下しないようにしたことを特徴とする。
【発明の効果】
【００１７】
本発明のパイプ取付金具は、メインブラケット、サブブラケット、ボルト、ナットなどを全て組み込んだ一体構造になっているので、ナットやワッシャなどの落下を注意しなくてもよく、安全かつ安心して作業が行える。
【００１８】
また、ナットを取り外すことなく簡単にパイプに対してブラケットを脱着できるので、作業効率も改善できる。
【発明を実施するための最良の形態】
【００１９】
以下、本発明を図面を用いて詳細に説明する。図１は本発明の一実施例の組立手順を示す構成図、図２は組立状態を示す構成図であり、（Ａ）は平面図、（Ｂ）は正面図、（Ｃ）は側面図である。なお、図３，図４と共通する部分には同一の符号を付けている。
【００２０】
図１において、サブブラケット2の一端近傍には、内径がナット6の外径よりも十分大きい大径部と内径がナット6の外径よりも小さくてボルト4の外径よりも大きい小径部とが連結されただるま状のボルト挿入穴10が設けられている。そして、だるま状のボルト挿入穴10の大径部と小径部との連結部の両側近傍には、突起部11，12が設けられている。なお、サブブラケット2の他端近傍には、内径がナット6の外径よりも小さくてボルト4の外径よりも大きい通常のボルト挿入穴が設けられている。
【００２１】
さらに、ボルト4，5の先端部分のねじ山は、メインブラケット1とサブブラケット2とをパイプ3を挟むようにして対向させた状態でボルト4，5をメインブラケット1側から挿入してナット6，7などを組み込んだ後にナットの抜け防止用措置として変形させて、組み込んだナット6，7などがボルト4，5から抜け出して落下しないようにしている。
【００２２】
このような構成において、パイプ取付金具をパイプ3に取り付けるのにあたっては、ボルト4，5に組み込まれているナット6，7などをボルト4，5の先端方向に沿って最大限緩めるとともに、ボルト4のナット6部分をサブブラケット2のだるま状のボルト挿入穴10の大径部から抜き出してボルト4とサブブラケット2との連結状態を解除する。これにより、ボルト4は、図１のように移動可能にメインブラケット1に取り付けられた状態になる。
【００２３】
高所でパイプへの取付作業を行う場合には、このようにボルト4が移動可能にメインブラケット1に取り付けられていて、メインブラケット1とサブブラケット2とがボルト5で連結されているパイプ取付金具を用いる。このようなパイプ取付金具のサブブラケット2を時計方向に回転させるとともに、ボルト4をメインブラケット1側に引き出すことにより、パイプ3を挟み込むのに十分な開口部が形成され、図1に示すようにパイプ3を挟み込んでメインブラケット1の切り欠き部8に嵌め合わせることができる。
【００２４】
図1に示すようにパイプ3を挟み込んでメインブラケット1の切り欠き部8に嵌め合わせた後は、サブブラケット2を反時計方向に回転させてパイプ2を切り欠き部9に嵌め合わせるとともに、ボルト4を時計方向に回転させてボルト4のナット6部分をサブブラケット2のだるま状のボルト挿入穴10の大径部に挿入しさらに連結部両側近傍の突起部11，12を通過して小径部まで移動させる。
【００２５】
そして、図２に示すようにメインブラケット1とサブブラケット2とをほぼ平行な状態に保ったままでナット6，7を締め付け、メインブラケット1の切り欠き部8とサブブラケット2の切り欠き部9をそれぞれパイプ2に噛み合わせさせて固定する。このとき、ボルト挿入穴10の連結部両側近傍の突起部11，12は、ナット6の締め付けに伴ってボルト4が小径部から大径部の方向に移動しようとする動きを阻止するストッパーとして機能し、作業時間の短縮にも寄与する。
【００２６】
このような構成のパイプ取付金具によれば、メインブラケット1、サブブラケット2、ボルト4，5、ナット6，7、ワッシャなどを全て組み込んだ一体構造にしているので、高所作業時に従来のようなナットやワッシャなどの落下を注意しなくてもよく、人身事故、器物破損につながるおそれがなくなるので安全かつ安心して作業が行える。
【００２７】
また、ナットを取り外すことなく簡単にパイプ3に対してブラケット1，2を脱着でき、作業効率も改善できる。
【００２８】
以上説明したように、本発明によれば、部品類が落下することはなく、安全かつ安心して着脱作業が行えるパイプ取付金具を提供することができ、電子機器の筐体やアンテナなどをパイプに取付けるための金具として好適である。
【図面の簡単な説明】
【００２９】
【図１】本発明の一実施例の組立手順を示す構成図である。
【図２】本発明の一実施例の組立状態を示す構成図である。
【図３】従来例の組立手順を示す構成図である。
【図４】従来例の組立状態を示す構成図である。
【符号の説明】
【００３０】
１  メインブラケット
２  サブブラケット
３  パイプ
４，５  ボルト
６，７  ナット
８，９  切り欠き部
１０  ボルト挿入穴
１１，１２  突起部
１８  移動方向指示部
【図１】
2005133853.tif 000003
【図２】
2005133853.tif 000004
【図３】
2005133853.tif 000005
【図４】
2005133853.tif 000006